(57)【要約】【課題】    解決しようとする問題点は、生ごみ処理機やバイオトイレを野外や災害時に使用する場合、嵩張らず、軽量で折り畳み可能な架台に組み込むことができ、電力を使わず人力で効果的に廃棄物を攪拌できる攪拌装置を提供することである。【解決手段】    本発明は、生ごみ処理機やバイオトイレなどの攪拌装置において、攪拌タンクや攪拌器に代えて、柔軟な材料で形成した袋を攪拌の容器、すなわち攪拌袋とする。架台から吊り下げた攪拌袋の複数箇所を、細い布、縄、ワイヤーなど紐状の牽引索に接合し、人力で牽引索を牽引し、次に弛緩させ、牽引と弛緩を交互に繰り返すことにより、攪拌袋を複雑に変形させて袋の内部の攪拌物を攪拌させることを最も主要な特徴とする。【選択図】図１
2005279450.tif 000002
【特許請求の範囲】
【請求項１】
布、紙、皮或いは樹脂など柔軟な素材で形成された攪拌袋の２箇所以上の端部に、細い布、縄、ワイヤーなど紐状の牽引索を接続し、複数の牽引索を交互に牽引し、或いは弛緩させ、又は、複数の牽引索を同時に牽引し、或いは弛緩させることで攪拌袋を自在に変形させ内部の攪拌物を攪拌する装置及びその方法。
【発明の詳細な説明】
【技術分野】
【０００１】
本発明は、攪拌装置に関するものである。
【背景技術】
【０００２】
生ごみ処理機やバイオトイレは、生ごみや汚物などの廃棄物を、おが屑や木チップなどの人工土壌と混合攪拌し、空気を混入させて微生物の働きで発酵分解させて減容処理する装置である。生ごみや汚物などの廃棄物を、おが屑や木チップなどと混合攪拌させる場合、攪拌物を収納する攪拌タンクと、攪拌器、及び攪拌器を回転させるための電動モーターなどの外部動力、という構造要素の組合せが必要であった。
【０００３】
しかし、電力が使用できる条件下であればよいが、野外や小型船舶上、あるいは災害などでの停電時など、電力が供給されない場合は電動モーターは使用できないという問題点があった。また、電動モーターに代えて人力で攪拌器を駆動させる方法もあるが、ソリッドタイプの攪拌タンクの場合、タンクや攪拌器の重量が重く、また、嵩が張り、野外や災害時には移動が困難で実用上問題があった。
【０００４】
また、重い攪拌タンクや攪拌器に代えて、柔軟な袋の中に廃棄物を入れ、袋の中央部をロープで吊り、上下させることで攪拌する装置はあるが、この方法だと袋の変形が単調になり、廃棄物が充分に攪拌されないという問題点があった。
【０００５】
生ごみ処理機やバイオトイレを野外や災害時に使用する場合、嵩張らず、軽量で折り畳み可能な架台に組み込むことができ、電力を使わなくても人力で効果的に廃棄物を攪拌できる攪拌装置が要望されている。
【特許文献１】特開２０００−１２６５７６号公報
【発明の開示】
【発明が解決しようとする課題】
【０００６】
解決しようとする問題点は、生ごみ処理機やバイオトイレを野外や災害時に使用する場合、嵩張らず、軽量で折り畳み可能な架台に組み込むことができ、電力を使わず人力で効果的に廃棄物を攪拌できる攪拌装置を提供することである。
【課題を解決するための手段】
【０００７】
本発明は、生ごみ処理機やバイオトイレなどの攪拌装置において、攪拌タンクや攪拌器に代えて、柔軟な材料で形成した袋を攪拌の容器、すなわち攪拌袋とする。攪拌袋は攪拌の効果を増すために、断面を船底型、すなわち逆蒲鉾型とする。架台から吊り下げた攪拌袋の外側の複数箇所を、細い布、縄、ワイヤーなど紐状の牽引索に接合し、人力で牽引索を牽引し、次に弛緩させ、牽引と弛緩を各々又は同時に繰り返すことにより、攪拌袋を複雑に変形させて袋の内部の攪拌物を攪拌させることを最も主要な特徴とする。
【発明の効果】
【０００８】
本発明は、生ごみ処理機やバイオトイレを野外や災害時に使用する場合、ポータブル式簡易椅子など軽量で折り畳み可能な架台に組み込むことができ、電力を使わなくても人力で効果的に廃棄物を攪拌できるという利点がある。
ここでいう廃棄物は生ごみや排泄物を意味する。
【発明を実施するための最良の形態】
【０００９】
本発明の攪拌装置をパイプフレーム構造の折り畳み簡易椅子の架台部分に組み込むことにより、野外や災害時など、電力の供給が望めない状況でも生ごみ処理機やバイオトイレを機能させる構造部分とすることができる。また、攪拌容器がソリッドタイプではなく、柔軟な材料を使用した袋で形成されているので、自在に変形させ、あるいは収縮させることができ、装置全体の折り畳み、収納、持ち運びが極めて簡単になるという新規性を持つ。
【実施例１】
【００１０】
図１は、本発明装置の実施例１の構成を示す矢視図である。本発明装置の主要部分は布、紙、皮或いは樹脂など柔軟な素材で形成された攪拌袋１１と、吊り紐２で攪拌袋を懸架している攪拌装置フレーム１と吊滑車３、導滑車４、吊滑車５、導滑車６及び牽引索１２、牽引索１４、及び引き手１３、引き手１５で構成されている。牽引索１２は細い布、縄、ワイヤーなど柔軟な紐状のものであり、攪拌袋１１の接合部Ａから攪拌装置フレーム１に取り付けられた吊滑車３、導滑車４の各滑溝を経由して引き手１３に接続している。また、牽引索１３も同様に、攪拌袋１１の接合部Ｂから攪拌装置フレーム１に取り付けられた吊滑車５、導滑車６の各滑溝を経由して引き手１５に接続している。接合部Ａ及び接合部Ｂは吊滑車３と吊滑車５を結ぶ線の鉛直下線上に位置している。攪拌袋１１の内部にある攪拌物の図示は省略している。
【００１１】
図２は実施例１の説明図である。引き手１３を矢印Ｒの方向に牽引すると、牽引索１２の端部に連結された攪拌袋１１の接合部Ａが吊滑車３の方向に引き上げられて柔軟な攪拌袋１１は図２に示すように変形する。攪拌袋が変形すると、内部に収めている攪拌物は攪拌袋の形状に沿って位置を変える。次に図３において、引き手１３を緩め、引き手１５を矢印Ｌの方向に引くと、牽引索１４の端部に連結された攪拌袋１１の接合部Ｂが吊滑車５の方向に引き上げられて柔軟な攪拌袋１１は図３に示すように変形する。攪拌袋が変形すると、内部に収めている攪拌物は攪拌袋の形状に沿ってさらに位置を変える。引き手１３と引き手１５の牽引と弛緩を交互に繰り返すことにより攪拌物は充分に攪拌される。攪拌袋の断面は船底型、すなわち逆蒲鉾型になっており、接合部Ａと接合部Ｂを結ぶ稜線が逆蒲鉾型の最下端に一致しているため、攪拌物は最も大きな動きで攪拌される。
【００１２】
次に、図４は、引き手１３と引き手１５の牽引と弛緩を同時に行う様子を示している。この場合、接合部Ａと接合部Ｂを結ぶ攪拌袋の稜線が同時に強く引き上げられる。このように、人力で複雑な袋の変形、すなわち攪拌ができるところに本発明の新規性がある。そもそも攪拌の目的は、廃棄物を人工土壌に混入させる目的と、攪拌物に空気を混入させる目的であるから、袋の複雑な変形による攪拌物の位置変化でその目的は充分達成される。
【００１３】
本発明の実際の使用例では、バイオトイレにおいては、排泄物のうち固形物は攪拌袋の内部で攪拌され、微生物分解処理される。一方、水分は、袋を水分透過性にしておくことにより、人口土壌でろ過された後、外部に排出される。
【００１４】
実験の結果によれば、１５リットルの人口土壌、すなわちおが屑や木チップ、アンモニア吸収剤などの混合物、を使用して、大人四人の１週間の排泄物の処理ができた。
【産業上の利用可能性】
【００１５】
震災などで被災した場合には水道や電気などいわゆるライフラインが遮断されるケースが想定される。都市部では非常時の排泄物の処理が深刻な問題であり、東京都では万一の被災者１５０万人に対し、１万台の非常用トイレットを準備しているといわれている。全国の人口１００万人以上の１４大都市での人口は約３０００万人、１３００万世帯であり、このうちの相当数が潜在需要になるといえる。
【００１６】
本発明装置を応用した生ごみ処理機やバイオトイレは電力を必要としないので、小型船舶搭載用やアウトドアで使用することが可能となり、生ごみや汚物を山や海などに廃棄せずに済むので環境汚染防止に貢献することができる。
【図面の簡単な説明】
【００１７】
【図１】本発明の実施例１の矢視図である。
【図２】本発明の実施例１の矢視図である。
【図３】本発明の実施例１の矢視図である。
【図４】本発明の実施例１の矢視図である。
【符号の説明】
【００１８】
１    攪拌装置フレーム
２    吊り紐
３    吊滑車
４    導滑車
５    吊滑車
６    導滑車
１１  攪拌袋
１２  牽引索
１３  引き手
１４  牽引索
１５  引き手
２０  攪拌物
Ａ    接合部
Ｂ    接合部
Ｒ    引き手を引く方向
Ｌ    引き手を引く方向
【図１】
2005279450.tif 000003
【図２】
2005279450.tif 000004
【図３】
2005279450.tif 000005
【図４】
2005279450.tif 000006